(57)【要約】【課題】蓄電池を電源とし、設定出力値を変更した場合に、蓄電池のエネルギー残量が低下して加熱できなくなる前に、加熱残時間がゼロとなるようにタイマー時間を設定することが容易にできる誘導加熱調理器とすること。【解決手段】タイマー時間設定部９は、蓄電池６に残存するエネルギー量と操作部１１により設定される出力設定値に応じて最長タイマー時間を決定し、この最長タイマー時間以下のタイマー時間をタイマー表示部１０に表示するとともに、出力設定値が大きく変更された場合に最長タイマー時間を短くなるように変更することにより、蓄電池６から供給される電力で加熱を継続可能なタイマー時間を容易に選択できる誘導加熱調理器となる。【選択図】図１
2014192083.tif 000002
【特許請求の範囲】
【請求項１】
調理容器を誘導加熱する加熱コイルと、蓄電池と、前記加熱コイルを含み前記蓄電池の出力を高周波電流に変換して前記加熱コイルに供給するインバータ回路と、出力設定値を設定する操作部と、前記出力設定値を表示する出力表示部と、加熱動作中に時間をカウントするタイマーと、前記タイマーのカウント動作を開始させると共に、前記タイマーがカウントを開始してから前記タイマーのカウント値が設定値に達するまでの残時間であるタイマー時間を設定するタイマー設定部と、前記加熱コイルの加熱出力が前記出力設定値になるように前記インバータ回路の動作を制御するとともに、前記タイマー時間がゼロとなると加熱動作を停止する制御部と、前記蓄電池に残存するエネルギー量を算出する残量算出部と、前記タイマー時間を表示するタイマー表示部と、を備え、前記タイマー設定部は、前記残量算出部の算出結果に基づき、設定可能な最長の前記タイマー時間である最長タイマー時間を算出すると共に、前記出力設定値が大きくなるように変更された場合に、前記最長タイマー時間を前記出力設定値が変更される前に比べ短くなるように変更し、出力設定値が変更された後に設定される前記タイマー時間がゼロとなるまで、前記出力設定値で加熱動作を継続できるようにした誘導加熱調理器。
【請求項２】
使用者に音声またはブザーにより報知する報知部を備え、前記報知部は、前記出力設定値が設定中の値より大きく変更されたことにより、現在のタイマー時間が設定中の値より短く変更された場合に報知する請求項１に記載の誘導加熱調理器。
【請求項３】
前記操作部は、前記出力設定値の変更操作がされたとき、前記最長タイマー時間が所定値以下である場合、前記出力設定値の変更操作を受け付けない請求項１または２に記載の誘導加熱調理器。
【請求項４】
前記報知部は、前記操作部が出力設定値の変更操作を受け付けない場合に報知する請求項３に記載の誘導加熱調理器。
【発明の詳細な説明】
【技術分野】
【０００１】
本発明は、蓄電池を誘導加熱用電源とする誘導加熱調理器に関するものである。
【背景技術】
【０００２】
従来、この種の誘導加熱調理器としては、蓄電池をインバータの電源とするとともに、蓄電池に蓄えられている充電エネルギーの量を表示し、残りの充電エネルギーの量から残りの使用可能時間を算出することにより残りの使用時間を表示している（例えば、特許文献１参照）。
【０００３】
図２は、特許文献１に記載された従来の誘導加熱調理器の回路構成を示すものである。図２に示すように、従来の誘導加熱調理器は、充電エネルギーを蓄える蓄電部１０６と、商用電源１２０を整流し前記蓄電部１０６に充電する充電回路１３１と、加熱コイル１０３と加熱コイル１０３に高周波電流を供給するインバータ回路１０５と、インバータ回路１０５に蓄電部１０６の電源を供給する電源供給部１２４と、電源供給部１２４を制御し、かつ負荷へ供給される電力が所定の値となるようにインバータ回路１０５を制御する制御部１０８と、充電状態を表示する充電状態表示部１０９を有している。
【０００４】
また、充電状態表示部１０９は、記蓄電部１０６に蓄えられている充電エネルギーの量を表示し、残りの充電エネルギーの量から残りの使用可能時間を算出して表示する構成である。
【先行技術文献】
【特許文献】
【０００５】
【特許文献１】特開平１１−１１１４４２号公報
【発明の概要】
【発明が解決しようとする課題】
【０００６】
しかしながら、前記従来の構成では、蓄電池の残りの充電エネルギーの量を表示するか、または、残りの使用可能時間を表示したりするものの、使用条件すなわち、火力によって使用可能時間が変わるので、あとどのくらいの火力でどのくらいの時間使用できるかという点が分かりにくく、場合によっては、調理の途中で加熱調理器を使用できなくなることがあるという課題があった。
【０００７】
本発明は、前記従来の課題を解決するもので、タイマー調理において、ユーザーが加熱出力に応じた適切なタイマー時間を設定することができ、調理の途中で充電エネルギーが無くなり加熱調理器を使用できなくなるという機会を減らし、ユーザーに使い勝手の良い誘導加熱調理器を提供することを目的とする。
【課題を解決するための手段】
【０００８】
前記従来の課題を解決するために、本発明の誘導加熱調理器は、調理容器を誘導加熱する加熱コイルと、蓄電池と、加熱コイルを含み蓄電池の出力を高周波電流に変換して加熱コイルに供給するインバータ回路と、出力設定値を設定する操作部と、出力設定値を表示する出力表示部と、加熱動作中に時間をカウントするタイマーと、タイマーのカウント動作を開始させると共に、タイマーがカウントを開始してからタイマーのカウント値が設定値に達するまでの残時間であるタイマー時間を設定するタイマー設定部と、加熱コイルの加熱出力が出力設定値になるようにインバータ回路の動作を制御するとともに、タイマー時間がゼロとなると加熱動作を停止する制御部と、蓄電池に残存するエネルギー量を算出
する残量算出部と、タイマー時間を表示するタイマー表示部と、を備え、タイマー設定部は、残量算出部の算出結果に基づき、設定可能な最長のタイマー時間である最長タイマー時間を算出すると共に、出力設定値が大きくなるように変更された場合に、最長タイマー時間を出力設定値が変更される前に比べ短くなるように変更し、出力設定値が変更された後に設定されるタイマー時間がゼロとなるまで、出力設定値で加熱動作を継続できるようにする構成としたものである。
【０００９】
これにより、ユーザーが加熱出力に応じたタイマー時間を知ることができ、調理の途中で充電エネルギーが無くなり加熱調理器を使用できなくなる機会を減らし、ユーザーに使い勝手の良い誘導加熱調理器となる。
【発明の効果】
【００１０】
本発明の誘導加熱調理器は、蓄電池に残存するエネルギーと加熱出力に応じた設定可能な最大タイマー時間を表示でき、タイマー調理において、蓄電池からの電力供給を有効に活用できる使い勝手を良くすることができる。
【図面の簡単な説明】
【００１１】
【図１】本発明の実施の形態１における誘導加熱調理器の回路構成を示す回路図
【図２】従来の誘導加熱調理器の回路構成を示す回路図
【発明を実施するための形態】
【００１２】
第１の発明は、調理容器を誘導加熱する加熱コイルと、蓄電池と、加熱コイルを含み蓄電池の出力を高周波電流に変換して加熱コイルに供給するインバータ回路と、出力設定値を設定する操作部と、出力設定値を表示する出力表示部と、加熱動作中に時間をカウントするタイマーと、タイマーのカウント動作を開始させると共に、タイマーがカウントを開始してからタイマーのカウント値が設定値に達するまでの残時間であるタイマー時間を設定するタイマー設定部と、加熱コイルの加熱出力が出力設定値になるようにインバータ回路の動作を制御するとともに、タイマー時間がゼロとなると加熱動作を停止する制御部と、蓄電池に残存するエネルギー量を算出する残量算出部と、タイマー時間を表示するタイマー表示部と、を備え、タイマー設定部は、残量算出部の算出結果に基づき、設定可能な最長のタイマー時間である最長タイマー時間を算出すると共に、出力設定値が大きくなるように変更された場合に、最長タイマー時間を出力設定値が変更される前に比べ短くなるように変更し、出力設定値が変更された後に設定されるタイマー時間がゼロとなるまで、出力設定値で加熱動作を継続できるようにした誘導加熱調理器としたものである。
【００１３】
これにより、タイマー調理において、出力設定値が変更されても、蓄電池から供給される電力で加熱を継続することができる加熱残時間（以下、タイマー時間ともいう）をユーザーが容易に選択することができ、蓄電池からの電力供給を有効に活用できるので、ユーザーにとって使い勝手の良い誘導加熱調理器を簡単な構成で実現することができる。
【００１４】
第２の発明は、特に、第１の発明において、使用者に音声またはブザーにより報知する報知部を備え、報知部は、出力設定値が設定中の値より大きく変更されたことにより、現在のタイマー時間が設定中の値より短く変更された場合に報知する構成としたものである。これにより、一度タイマー時間が設定された後に、変更されたことをユーザーが把握することができ、さらに使い勝手の良い誘導加熱調理器とすることができる。
【００１５】
第３の発明は、特に、第１または第２の発明の操作部は、出力設定値の変更操作がされたとき、最長タイマー時間が所定値以下である場合、出力設定値の変更操作を受け付けない構成としたものである。これにより、設定火力を変更後に調理の途中で充電エネルギーの残量が無くなり加熱調理器を使用できなくなる機会を減らし、使い勝手の良い誘導加熱
調理器を提供することができる。
【００１６】
第４の発明は、特に、第３の発明の報知部は、操作部が出力設定値の変更操作を受け付けない場合に報知する構成としたものである。これにより、蓄電池からの電力供給が調理完了まで得られずに調理を失敗する可能性があるような状態にまで蓄電池の残存エネルギーが低下していることをユーザーに知らしめることができ、使い勝手の良い誘導加熱調理器を実現することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における誘導加熱調理器の回路構成を示す回路図である。
【００１９】
図１において、トッププレート２に調理容器１が載置されており、加熱コイル３からの高周波磁界により調理容器１は誘導加熱される。温度センサ４は、加熱コイル３の下方に設置されている。トッププレート２の可視部（図示せず）越しに調理容器１からの熱赤外線が温度センサ４に入光し、温度センサ４は、調理容器１からの熱赤外線を検知している。制御部８はマイコンにより構成され、加熱コイル３を含み加熱コイル３に高周波電流を供給するインバータ回路５を制御する。制御部８は、加熱コイル３の加熱出力が操作部１１で設定される出力設定値になるようにインバータ回路５の動作を制御する。また、制御部８は、温度センサ４による温度情報に基づいて、調理容器１の温度が所定の温度になるようにインバータ回路５の加熱出力を制御する。
【００２０】
ユーザーは操作部１１を介し、加熱調理器の電源ＯＮ／ＯＦＦを切り替えることや、トッププレート２に載置された調理容器１を加熱するために加熱開始や停止を行うことができる。また、操作部１１を操作することにより、加熱する際に火力（加熱出力）を大きくまたは小さくするように出力設定値を変更することができ、メニューを選択することで揚げ物の温調制御をおこなうことができる。
【００２１】
また、操作部１１の操作に応じて、電源をＯＮにした場合は電源ＬＥＤを点灯させ、また、操作部１１の操作で変更され、設定される出力設定値は出力表示部１２で表示される。例えば、出力表示部１２のＬＥＤの点灯数により表示する。
【００２２】
インバータ回路５蓄電池６の出力を高周波電流に変換して加熱コイル３に供給する。蓄電池６は、リチウムイオン電池をバッテリーセルに使用し、リチウムイオン電池の仕様は例えば、定格電圧２００Ｖ、１０００Ｗｈとする。なお、本実施の形態では、リチウムイオン電池を使用したが、ニカド蓄電池やニッケル水素蓄電池、鉛蓄電池等の他の蓄電池でもよく、充放電時間、大きさ、価格のバランスにより選択することが好ましく、これらに限らずともよい。
【００２３】
残量算出部７は、蓄電池６からインバータ回路５への供給電流を電流センサ（図示せず）等により検知し、検知した供給電流の積算値を蓄電池６から得たエネルギー量とし、これを蓄電池６の定格容量値（定格エネルギー）から差し引くことで、蓄電池６に残存するエネルギー量を算出する。
【００２４】
次に、制御部８、タイマー時間設定部９およびその周辺回路の動作について説明する。タイマー１３は、加熱動作中に時間をカウントする。タイマー時間設定部９は、タイマー１３のカウント動作を開始させると共に、タイマー１３がカウントを開始してからタイマ
ー１３のカウント値が設定値に達するまでの残時間であるタイマー時間を設定する。タイマー表示部１０はこのタイマー時間を表示する。制御部８は、タイマー時間がゼロとなると加熱動作を停止する。
【００２５】
まず、ユーザーが操作部１１を操作し、誘導加熱調理器の加熱開始操作をおこなった場合、制御部８は加熱中と判断する。制御部８が加熱中と判断した場合、蓄電池６からの電力供給を行う。制御部８は、まず、蓄電池６の充電状態を確認し、蓄電池６が供給可能である場合は、インバータ回路５を駆動し、例えば（表１）のように、操作部１１で設定した出力設定値に、加熱コイル３の加熱出力がなるようにインバータ回路５の動作を制御する。
【００２６】
【表１】
2014192083.tif 000003
【００２７】
タイマー時間設定部９は、残量算出部７で算出した蓄電池６に残存するエネルギー量を、操作部１１で設定した出力設定値で除して算出した時間を最長タイマー時間とする。タイマー時間設定部９は、ゼロから最長タイマー時間までをタイマー時間として設定可能とし、設定したタイマー時間をタイマー表示部１０に表示する。
【００２８】
また、タイマー時間設定部９は、操作部１１により出力設定値が大きくなるように変更された場合に、最長タイマー時間を出力設定値が変更される前に比べ短くなるように変更し、出力設定値が変更された後に設定されるタイマー時間がゼロとなるまで、出力設定値で加熱動作を継続できるようにしている。
【００２９】
このため、タイマー調理を行うときに、出力値出力設定値が変更されても、蓄電池から供給される電力で加熱を継続することができるタイマー時間をユーザーが容易に選択することができ、蓄電池からの電力供給を有効に活用できるので、ユーザーにとって使い勝手の良い加熱調理器を簡単な構成で実現することができる。
【００３０】
また、タイマー時間設定部９は、蓄電池６に残存するエネルギー量が少ないなどの理由からエネルギー供給不可能であると判断した場合は、タイマー表示部１０、出力表示部１２または他の表示部（図示せず）に充電することを催促する旨（例えば、『電池がありません。充電して下さい』など）を表示し、加熱は行わない。この場合、蓄電池６を取り外して充電することで再び使用することができるようになる。また、オプションで予備の蓄電池６を準備しておき、交換する等して使用することも可能である。
【００３１】
また、タイマー表示部１０に表示される加熱残時間（タイマー時間）が出力設定値によって変化することが実感として分かるので、ユーザーの心情としてなるべく必要最小限の火力で効率よく調理しようという意思が働きやすくなる。このため、ユーザーが、結果として知らず知らずのうちに省エネを実践しているという効果も得られる。
【００３２】
以上のように、本実施の形態においては、現在の充電状態の蓄電池から供給される電力で使用することができる出力設定値に応じた加熱残時間を、ユーザーが随時把握して設定することができ、蓄電池からの電力供給を有効に活用し易くすることにより、ユーザーの配慮でエネルギー消費量を削減することが容易となり、使い勝手の良い誘導加熱調理器を実現することができる。
【００３３】
また、使用者に報知するための報知部２０を備えてもよい。報知部２０は、ユーザーによる操作に応じて音声、ブザーなどで報知を行うことができ、炊飯、湯沸かし等の自動調理を行う場合や、タイマー調理により、設定時間後に加熱を停止する場合などに調理終了を報知することもできる。
【００３４】
報知部２０は、出力設定値が設定中の値より大きく変更されたことにより、タイマー時間が設定中の値より短く変更された場合に報知することができる。
【００３５】
この構成により、タイマー時間を設定後に出力設定値を変更し、現在設定されているタイマー時間よりも短くなる場合に報知して、加熱残時間をユーザーが把握することができ、蓄電池からの電力供給を有効に活用し易くし、使い勝手の良い誘導加熱調理器を簡単な構成で実現することができる。
【００３６】
また、出力設定値の変更操作がされたとき、最長タイマー時間が所定値（例えば、残り時間３分前）以下である場合、操作部１１は、加熱開始操作を受け付けないようにしてもよい。
【００３７】
この構成により、出力設定値を変更後に調理の途中で充電エネルギーの残量が無くなり加熱調理器を使用できなくなる機会を減らし、使い勝手の良い誘導加熱調理器を提供することができる。
【００３８】
また、報知部２０は、最長タイマー時間が所定値（例えば、残り時間３分前）以下である場合に報知してもよい。
【００３９】
この構成により、蓄電池からの電力供給が調理完了まで得られずに調理を失敗する可能性があることを事前にユーザーに知らしめることができ、出力設定を再検討するきっかけをユーザーに与え、使い勝手の良い加熱調理器を実現することができる。
【産業上の利用可能性】
【００４０】
以上のように、本発明にかかる加熱調理器は、蓄電池を加熱エネルギー源とし、設定出力値と蓄電池の残存エネルギー量に応じてタイマー時間を最適表示することができるので、蓄電池を有する一般家庭の台所や業務用の厨房で使用されるその他の誘導加熱調理器に対しても同様に応用することができる。
【符号の説明】
【００４１】
１  調理容器
２  トッププレート
３  加熱コイル（加熱手段）
６  蓄電池
７  残量算出部
８  制御部
９  タイマー時間設定部
１０タイマー表示部
１１  操作部
１２  出力表示部
１３  タイマー
２０  報知部
【図１】
2014192083.tif 000004
【図２】
2014192083.tif 000005